(57)【特許請求の範囲】
【請求項１】
中空状の形状であって、パイプが両末端に挿入可能なように中央部を中心として両端が拡管された形状を呈するパイプ収納ホームと、前記別々のパイプ収納ホーム末端から拡管された形状を呈する固定ホームと、前記固定ホームの末端から外側へ行くほど下向傾斜を持つ第１傾斜面と、前記パイプの垂れを防止するよう前記第１傾斜面の末端からパイプ引入口と、を含んで構成される連結管と；
水密性を維持し、弾性を提供するために弾性材質から成り、前記連結管の固定ホームに挿入されたオーリングと；
弾性を提供するために弾性材質から成り、前記オーリング後端に挿入された下敷き部材と；
内周面に鋸歯を有するとともに外周面に前記連結管の第１傾斜面と同一傾斜を持つ第２傾斜面を有する複数のジョーが弾性部材により相互連結されて円形を呈し、前記連結管の第１傾斜面内部に挿入されたジョー部材とを含み、
前記下敷き部材は板形のリング形態を呈し、前記ジョー部材に弾性を提供する機能を有し、
前記ジョー部材はインサート及び接着方式により前記弾性部材と相互連結された状態であり、
前記弾性部材はゴム及び合成樹脂であって、
前記オーリング、前記弾性部材及び前記ジョー部材は、前記連結管のパイプ引入口を通じて形象を変形して順次で挿入可能であることを特徴とする部品組み立てが容易なワンタッチ挿入式パイプ連結装置。
【請求項２】
前記連結管のパイプ引入口は、前記パイプの垂れを防止するために前記第１傾斜面の末端から外側へ水平して延長された形状を呈することを特徴とする請求項１に記載の部品組み立てが容易なワンタッチ挿入式パイプ連結装置。
【請求項３】
前記連結管のパイプ引入口は、前記パイプの直径より大きく、前記パイプが挿入された状態で前記パイプに圧着が可能であり前記パイプの脱着が可能なように前記パイプとの間隔を維持することを特徴とする請求項１に記載の部品組み立てが容易なワンタッチ挿入式パイプ連結装置。
【請求項４】
前記連結管は、拡管された状態で溶接されるか薬品により表面処理されていることを特徴とする請求項１に記載の部品組み立てが容易なワンタッチ挿入式パイプ連結装置。
【請求項５】
前記ジョー部材は、その直径が前記パイプの直径より小さく、前記パイプの引入時長さが拡張可能であることを特徴とする請求項１に記載の部品組み立てが容易なワンタッチ挿入式パイプ連結装置。
【発明の詳細な説明】
【技術分野】
【０００１】
本発明は部品組み立てが容易なワンタッチ挿入式パイプ連結装置に関するもので、詳細的に拡管形成された連結間に配管連結のため連結物を溶接した後、これらを薬品生処理して表面を滑らかにしながら同時に金属成分を還元させて、ゴムにより一体化されたジョー、オーリング及びゴムの下敷きを連結間内部に変形させて挿入するようにする部品組み立てが容易なワンタッチ挿入式パイプ連結装置に関する事である。
【背景技術】
【０００２】
一般的に、パイプ連結装置は配管の気密性を維持した状態に配管と配管を連結、固定する手段として主に使用され、その構造的形態のより直線形、エルボー形、Ｔ字形、十字形など多様な形態を持っている。
【０００３】
従来のパイプ連結装置は気密性と結合性を高めるために配管の接続部を溶接するかねじ結合など別途の固定手段及びスナップリングを必要とするため、配管連結作業が難しくなり、組み立て工程が増えて施工費用が増大する問題点がある。
【０００４】
又、このような従来のパイプ連結装置に使われる通常の一般配管用ステンレス鋼管は太さが薄いため施工現場で溶接はおろか、ねじを形成するのも困難であり、専用圧搾機を使用したり拡管するなど別途の工程が追加されなければならない不便さがある。
このような問題点を解決する為に各種パイプ連結装置が開発された。
【０００５】
前記パイプ連結装置に関して国内公開特許広報 10-2009-0039630号が開示された。
前記国内公開特許広報 10-2009-0039630号であるパイプ連結装置は図１に図示されたように二つのパイプ（１）（２）をお互いに連結する位置に設置されるパイプ連結口（１１０）；前記パイプ連結口（１１０）と前記パイプ（１）（２）の間の介在された状態で前記パイプ連結口（１１０）の両末端部に別々に挿入結合されて、外周面伝いに一定間隔で多数のジョー装着ホール（１２１）が形成されるジョーホルダー（１２０）；前記ジョー装着ホール（１２１）に回動できるように装着されて、前記パイプ連結口（１１０）の内部壁（１１０a)に加圧され前記ジョーホルダー（１２０）の内部へ挿入される前記パイプ（１）（２）を圧着固定するジョー（１３０）；前記ジョー（１３０）を弾力的に支持出来るように前記パイプ連結口（１１０）の内部に設置される弾性部材（１４０）を具備する。この時、前記パイプ連結口（１１０）の内部にはバックアップリング（１５０）、スプリング支持リング（１６０）、シールリング（１７０）が設置される。
【０００６】
しかし、前記パイプ用連結物は本体に傾斜部を形成しなければならないし、前記パイプの連結装置は構造的に複雑なジョーホルダーとジョーを別々制作しなければならないため、制作時間と組み立て時間が増大され、結局制作費用が増大される問題点他ある。
【０００７】
このような問題点を解決するために国内登録特許公報１０−０９８４８３９号が開発された。
前記国内登録特許公報１０−０９８４８３９号のパイプ用連結物は図２及び図３に図示されたように内周壁伝いに丸形のホーム部（１１１）と傾斜部（１１２）が形成されるパイプ（１０）を収容するための対の本体（１１０）、傾斜部（１１２）伝いに移動するようにした対の本体（１１０）に備えられてパイプ（１０）の動きを止めるための止め部材（１２０）、止め部材（１２０）を半径方向へ弾性支持するための第１弾性部材（１３０）、止め部材（１２０）を軸方向へ弾性支持するための第２弾性部材（１４０）、対の本体（１１０）の中に異物質が侵入する事を防止するために口（１１３）に備えられるふた部材（１５０）を含む。
【０００８】
しかし、前記パイプ用連結物は本体内部に止め部材と第１、２弾性部材を挿入した後、これらが遺脱する事を防止するために圧力を加えて狭くするが、圧力を加えて狭くすると外観にスクラッチなどが発生して美麗に見えなく、内部弾性部材が熱により解けるため配管をつなぐための溶接作業を行する事が出来なくなり、適用部位が限定される問題点がある。
【先行技術文献】
【特許文献】
【０００９】
【特許文献１】国内公開特許公報 10-2009-0039630号
【特許文献２】国内公開特許公報 10-0984839号
【発明の概要】
【発明が解決しようとする課題】
【００１０】
本発明は前記のような問題点を解決するためのものであり、拡管形成された連結管二連結物を溶接した後、これらを薬品処理して表面を滑らかにすると共に金属成分を還元させて、ゴムにより一体化されたジョー、オーリング、及びゴムの下敷きを連結管内部に変形させて挿入するとこで製品の外観を美麗に制作する事が出来て、ジョーオーリング及びゴムの下敷きを容易に組み立てられるようにする部品組み立てが容易なワンタッチ挿入式パイプ連結装置を提供する事にその目的がある。
【課題を解決するための手段】
【００１１】
前記のような目的を達成するための本発明の特徴は、
中空状の形状であって、パイプが両末端に挿入可能なように中央部を中心として両端が拡管された形状を呈するパイプ収納ホームと、前記別々のパイプ収納ホーム末端から拡管された形状を呈する固定ホームと、前記固定ホームの末端から外側へ行くほど下向傾斜を持つ第１傾斜面と、前記パイプの垂れを防止するよう前記第１傾斜面の末端からパイプ引入口と、を含んで構成される連結管と；水密性を維持し、弾性を提供するために弾性材質から成り、前記連結管の固定ホームに挿入されたオーリングと；弾性を提供するために弾性材質から成り、前記オーリング後端に挿入された下敷き部材と；内周面に鋸歯を有するとともに外周面に前記連結管の第１傾斜面と同一傾斜を持つ第２傾斜面を有する複数のジョーが弾性部材により相互連結されて円形を呈し、前記連結管の第１傾斜面内部に挿入されたジョー部材とを含み、前記下敷き部材は板形のリング形態を呈し、前記ジョー部材に弾性を提供する機能を有し、前記ジョー部材はインサート及び接着方式により前記弾性部材と相互連結された状態であり、前記弾性部材はゴム及び合成樹脂であって、前記オーリング、前記弾性部材及び前記ジョー部材は、前記連結管のパイプ引入口を通じて形象を変形して順次で挿入可能であることを特徴とする。
【００１２】
ここで、前記連結管のパイプ引入口は前記パイプの垂れを防止するために前記第１傾斜面の末端から外側へ水平して延長された形状を呈する。
ここでまた、前記連結管のパイプ引入口は前記パイプの直径より大きく、前記パイプが挿入された状態で前記パイプに圧着が可能であり前記パイプの脱着が可能なように前記パイプとの間隔を維持する。
【００１３】
ここでまた、連結管は、拡管された状態で溶接されるか薬品により表面処理されている。
【００１７】
ここでまた、前記ジョー部材は、その直径が前記パイプの直径より小さく、前記パイプの引入時長さが拡張可能である。
【発明の効果】
【００１９】
前記のように構成される本発明の部品組み立てが容易なワンタッチ挿入式パイプ連結装置によると、拡管形成された連結管に配管連結のために連結を溶接した後これらを薬品処理して表面を滑らかにすると友に金属成分を還元させて、弾性材質によって一体化されたジョー、オーリング及びゴム下敷きを連結管内部に変形させて挿入する事によって製品の外観を美麗に制作する事が出来、ジョー、オーリング、及びゴム下敷きを容易に組み立てられる。
【図面の簡単な説明】
【００２０】
【図１】従来のパイプの連結蔵置の構成を示す図面である。
【図２】従来のパイプ用連結物の構成を示す図面である。
【図３】従来のパイプ用連結物の構成を示す図面である。
【図４】本発明による部品組み立てが容易なワンタッチ挿入式パイプ連結装置の構成を示す斜視図である。
【図５】図４の分解斜視度図である。
【図６】図４の断面図である。
【図７】本発明による部品組み立てが容易なワンタッチ挿入式パイプ連結装置の部品組み立て過程を説明するための断面図である。
【図８】本発明による部品組み立てが容易なワンタッチ挿入式パイプ連結装置の部品組み立て過程を説明するための断面図である。
【図９】本発明による部品組み立てが容易なワンタッチ挿入式パイプ連結装置の部品組み立て過程を説明するための断面図である。
【図１０】は本発明による部品組み立てが容易なワンタッチ挿入式パイプ連結装置の部品組み立て過程を説明するための断面図である。
【発明を実施するための形態】
【００２１】
以下、本発明による部品組み立てが容易なワンタッチ挿入式パイプ連結装置の構成を添付された図面を参照して詳細に説明すると次のようだ。
【００２２】
下記で本発明を説明する事にて、関連公知機能又は構成に関する具体的な説明が本発明の要旨を不要に曖昧にする可能性があると判断される場合にはその詳細な説明は省略する。そして後述される用語は本発明での機能を考慮して定義された用語で、これは使用者、運用者の意図は慣例などによって変わり得る。従って、その定義は本明細書全般にわたる内容を土台として下すべきである。
【００２３】
図４は本発明による部品組み立てが容易なワンタッチ挿入式パイプ連結装置の構成を示した斜視図であり、図５は図４の分解斜視図、図６は図４の断面図である。
【００２４】
図４及び図６を参照すると、本発明による部品組み立てが容易なワンタッチ挿入式パイプ連結装置（Ａ）は連結管（１０）、オーリング（２０）、下敷き部材（３０）、及びジョー部材（４０）を含む。
【００２５】
まず連結管（１０）は金属材質で中空状で形成され,パイプ(P)が両末端に挿入されるように中央部を中心として両端が拡管されパイプ収納ホーム(11)が形成され、別々のパイプ収納ホーム(11)の末端から拡管され固定ホーム（１３）が形成され、 固定ホーム（１３）の末端から外側へ行くほど下向傾斜を持つ第１傾斜面（１５）が形成され、パイプ（P)の垂れを防止するよう第１傾斜面(15)の末端からパイプ引入口(17)が形成される。ここで、連結管（１０）は拡管された後溶接されるか薬品によって表面処理される。ここでまた、連結管（１０）のパイプ引入口(17)はパイプ（P)の垂れを防止するよう第一傾斜面（１５）の末端から外側へ水平して延長形成され、パイプ（P)の直径より大きく形成されパイプ（P)が挿入した後パイプ（P)に圧着されるか別途の円形版形態の脱着工具(未図示)を挿入して後記で説明するジョー部材（４０）を押してパイプ（P)の脱着が可能になるようにパイプ（P)との間隔を維持するのが望ましい。
【００２６】
そしてオーリング（２０）は水密性を維持し、弾性を提供するためゴム及び小合成樹脂のような弾性材質で形成され 連結管の固定ホームに挿入される。ここでオーリング（２０）は形象を変形して連結管（１０）のパイプ引入口（１７）を通じて連結管（１０）の固定ホーム（１３）に挿入される。
【００２７】
そして下敷き部材（３０）はゴム及び合成樹脂などの弾性材質で版状のリング形態で形成され、オーリング（２０）の後端に挿入される。ここで、下敷き部材（３０）は形象を変形して連結管（１０）のパイプ引入口（１７）を通じて連結管（１０）の固定ホーム（１３）に挿入される。
【００２８】
そしてジョー部材（４０）は通常の形態の内周面に鋸歯（４１a)が形成され、外周面に 連結管の第１傾斜面(15)と同一傾斜を持つ第２傾斜面(41b)が形成される複数のジョー(41)がゴム及び合成樹脂などの弾性部材(43)と相互連結されて円形に形成され、連結管（１０）の第１傾斜面（１５）内部に挿入される。ジョー部材（４０）はインサート及び接着方式により弾性部材(43)と相互連結される。ここでジョー部材（４０）はこの直径がパイプ（P)の直径より小さく形成されてパイプ（P)引入時長さが拡張するのが望ましい。
【００２９】
以下、本発明による部品組み立てが容易なワンタッチ挿入式パイプ連結装置の動作を添付された図面を参照して詳細に説明すると次のようだ。
【００３０】
図７は本発明による部品組み立てが容易なワンタッチ挿入式パイプ連結装置の部品組み立て過程を説明するための断面図であり、図８乃至図１０は本発明による部品組み立てが容易なワンタッチ挿入式パイプ連結装置の部品組み立て過程を説明するための断面図である。
【００３１】
まず連結管（１０）を拡管してパイプ収納ホーム（１１）、固定ホーム（１３）、第１傾斜面（１５）及びパイプ引入口（１７）を形成された後薬品で表面を処理する。この時、必要により連結管（１０）を他の連結物(未図示)と溶接する事も出来、溶接する場合溶接後薬品で表面を処理する。
【００３２】
そして別途の工程を通じてジョー部材を制作する。
連結管（１０）及びジョー部材（４０）の制作が完了された状態で、図７に図示されたように連結管（１０）のパイプ引入口（１７）にオーリング（２０）を変形して挿入してオーリング（２０）が連結管（１０）の固定ホーム（１３）に位置するようにする。
その後連結管（１０）のパイプ引入口（１７）に下敷き部材（３０）を変形して挿入して下敷き部材（３０）が連結管（１０）の固定ホーム（１３）からオーリング（２０）の後端に位置するようにする。
【００３３】
最後に連結管（１０）のパイプ引入口（１７）にジョー部材（４０）を変形して挿入してジョー部材（４０）が連結管（１０）の第１傾斜面（１５）の位置するようにする。
【００３４】
オーリング（２０）、下敷き部材（３０）及びジョー部材（４０）の挿入が完了された後、図８に図示されたように連結管（１０）のパイプ引入口（１７）にパイプ（P)を挿入する。
【００３５】
そしたらパイプ（P)がジョー部材を押しながら入り、ジョー部材（４０）が押されて下敷き部材（３０）がオーリング（２０）によってある程度以上移動が出来なくなると図９に図示されたように弾性部材（４３）により直径が拡張されながらパイプ（P)が貫通するようになる。
【００３６】
そしてパイプ（P)は下敷き部材（３０）とオーリング（２０）を順次に貫通して連結管（１０）のパイプ収納ホーム（１１）末端に引っ掛かれて固定される。
【００３７】
この状態で水圧及び外部衝撃（地震など）や不等沈下などによってパイプ（P)に引張力が発生すると図１０に図示されたようにジョー部材（４０）と一緒にパイプ（P)が外側へ移動する。
【００３８】
そしたらジョー｀（４０）とパイプ（Ｐ）が連結管（１０）の第１傾斜面（１５）伝いに移動してある時点には傾斜によってジョー部材（４０）の内径がようやく狭くなると共にジョー（４１）の鋸歯（４１ａ)がパイプ（Ｐ）を圧入してこれ以上の移動を遮断して引張力に抵抗する。
【００３９】
一方パイプ（P)が挿入された状態で連結管（１０）のパイプ引入口（１７）に円形版形態の脱着工具を圧入すると、ジョー部材（４０）が内側まで押されるのによってパイプ（P)を出す事ができる。
【００４０】
本発明は多様に変形される事が出来、様々な形態が取れて、前記発明の詳細な説明ではそれによる特別な実施例についてだけ記述した。しかし本発明は詳細な説明で言及される特別な形態に限定されるのではないと理解されなければならないし、むしろ添付された請求範囲によって定義される本発明の精神と範囲内のすべての変形物と均等物及び代替物を含むものとして理解しなければならない。
【符号の説明】
【００４１】
10 : 連結管   11 : パイプ収納ホーム
13 : 固定ホーム   15 : 第１傾斜面
17 : パイプ引入口   20 : オーリング
30 : 下敷き部材   40 : ジョー部材
41 : ジョー   P : パイプ
【図１】
0005992953.tif 000002
【図２】
0005992953.tif 000003
【図４】
0005992953.tif 000004
【図５】
0005992953.tif 000005
【図６】
0005992953.tif 000006
【図７】
0005992953.tif 000007
【図８】
0005992953.tif 000008
【図９】
0005992953.tif 000009
【図１０】
0005992953.tif 000010
【図３】
0005992953.tif 000011